(57)【要約】【課題】ハードウェア規模を小さくし、低消費電力でかつより正確にパス推定が可能なＣＤＭＡ無線装置を提供する。【解決手段】ダウンサンプリング部５１はＡ／Ｄのサンプリング周波数からサンプリング周波数を下げたデータを出力する。コリレータ部５２ではそのデータに対してセル情報から指定された特定の拡散符号を用いて相関計算を行い、ディレイプロファイルを作成する。第一パス選択部５３はディレイプロファイルにおいてパスを選択し、その選択情報をアップサンプサンプリング部５４に送る。アップサンプリング部５４はダウンサンプリング部５１において失ったサンプリングタイムのディレイプロファイルデータを補う。第二パス選択部５５は最終的にパスと判定したいくつかの位置情報をパスタイミング信号として基地局拡散復調部または移動局拡散復調部に渡す。【選択図】　　　図４
2004080555.tif 000002
【特許請求の範囲】
【請求項１】
ＣＤＭＡ（Ｃｏｄｅ　Ｄｉｖｉｓｉｏｎ　ＭｕｌｔｉｐｌｅＡｃｃｅｓｓ）方式にて信号の送受信を行うＣＤＭＡ無線装置であって、入力データのサンプリング量を削減する削減手段と、前記削減手段で前記サンプリング量が削減されたデータに対してパス選択を行う第一のパス選択手段と、前記第一のパス選択手段で前記パス選択の対象としたデータに対して前記削減手段で削減されたデータを補う手段と、前記削減されたデータが補われたデータと前記第一のパス選択手段の前記パス選択の結果とから前記パス選択を行ってパス推定結果として出力する第二のパス選択手段とを有することを特徴とするＣＤＭＡ無線装置。
【請求項２】
前記削減手段は、前記入力データに対するアナログ／ディジタル変換のサンプリング周波数よりも前記サンプリング周波数を下げることで前記入力データのサンプリング量を削減することを特徴とする請求項１記載のＣＤＭＡ無線装置。
【請求項３】
前記削減手段は、前記アナログ／ディジタル変換後の信号のサンプリングを間引くことで、前記入力データのサンプリング量を削減することを特徴とする請求項２記載のＣＤＭＡ無線装置。
【請求項４】
前記サンプリング量が削減されたデータに対してセル情報から指定された特定の拡散符号を用いて相関計算を行うことでディレイプロファイルを作成する手段を含み、
前記第一のパス選択手段は、前記ディレイプロファイルにおいて前記パス選択を行うことを特徴とする請求項１から請求項３のいずれか記載のＣＤＭＡ無線装置。
【請求項５】
前記削減手段で削減されたデータを補う手段は、その処理に必要な前後いくつかのディレイプロファイルデータから前記削減手段において失ったサンプリングタイムのディレイプロファイルデータを補うことを特徴とする請求項４記載のＣＤＭＡ無線装置。
【請求項６】
前記削減手段で削減されたデータを補う手段は、その処理に必要な前後いくつかのディレイプロファイルデータによって前記第一のパス選択手段で検出したパス位置の前後のサンプルの大きさを算出し、
前記第二のパス選択手段は、この前後のサンプルの大きさと前記第一のパス選択手段で選択されたパス位置の大きさとを比較して最大ポイントをパス位置候補とし、更新された最大パスの大きさから再び各パスの差分を求めて前記パスか否かの判断を行うことを特徴とする請求項４または請求項５記載のＣＤＭＡ無線装置。
【請求項７】
前記削減手段で前記サンプリング量が削減されたデータに対してセル選択を行う第一のセル選択手段と、前記第一のセル選択手段で前記セル選択の対象としたデータに対して前記削減手段で削減されたデータを補う手段と、前記削減されたデータが補われたデータと前記第一のセル選択手段の前記セル選択の結果とから前記セル選択を行ってセル情報として出力する第二のセル選択手段とを含むことを特徴とする請求項４から請求項６のいずれか記載のＣＤＭＡ無線装置。
【請求項８】
ＣＤＭＡ（Ｃｏｄｅ　Ｄｉｖｉｓｉｏｎ　ＭｕｌｔｉｐｌｅＡｃｃｅｓｓ）方式にて信号の送受信を行うＣＤＭＡ無線装置の簡易パス推定方法であって、入力データのサンプリング量を削減する第１のステップと、前記削減手段で前記サンプリング量が削減されたデータに対してパス選択を行う第２のステップと、前記第２のステップで前記パス選択の対象としたデータに対して前記第１のステップで削減されたデータを補う第３のステップと、前記削減されたデータが補われたデータと前記第２のステップによる前記パス選択の結果とから前記パス選択を行ってパス推定結果として出力する第４のステップとを有することを特徴とする簡易パス推定方法。
【請求項９】
前記第１のステップは、前記入力データに対するアナログ／ディジタル変換のサンプリング周波数よりも前記サンプリング周波数を下げることで前記入力データのサンプリング量を削減することを特徴とする請求項８記載の簡易パス推定方法。
【請求項１０】
前記第１のステップは、前記アナログ／ディジタル変換後の信号のサンプリングを間引くことで、前記入力データのサンプリング量を削減することを特徴とする請求項９記載の簡易パス推定方法。
【請求項１１】
前記サンプリング量が削減されたデータに対してセル情報から指定された特定の拡散符号を用いて相関計算を行うことでディレイプロファイルを作成する第５のステップを含み、
前記第２のステップは、前記ディレイプロファイルにおいて前記パス選択を行うことを特徴とする請求項８から請求項１０のいずれか記載の簡易パス推定方法。
【請求項１２】
前記第３のステップは、その処理に必要な前後いくつかのディレイプロファイルデータから前記第１のステップにおいて失ったサンプリングタイムのディレイプロファイルデータを補うことを特徴とする請求項１１記載の簡易パス推定方法。
【請求項１３】
前記第３のステップは、その処理に必要な前後いくつかのディレイプロファイルデータによって前記第２のステップで検出したパス位置の前後のサンプルの大きさを算出し、
前記第４のステップは、この前後のサンプルの大きさと前記第２のステップで選択されたパス位置の大きさとを比較して最大ポイントをパス位置候補とし、更新された最大パスの大きさから再び各パスの差分を求めて前記パスか否かの判断を行うことを特徴とする請求項１１または請求項１２記載の簡易パス推定方法。
【請求項１４】
前記削減手段で前記サンプリング量が削減されたデータに対してセル選択を行う第６のステップと、前記第６のステップで前記セル選択の対象としたデータに対して前記第１のステップで削減されたデータを補う第７のステップと、前記削減されたデータが補われたデータと前記第６のステップの前記セル選択の結果とから前記セル選択を行ってセル情報として出力する第８のステップとを含むことを特徴とする請求項１１から請求項１３のいずれか記載の簡易パス推定方法。
【発明の詳細な説明】
【０００１】
【発明の属する技術分野】
本発明はＣＤＭＡ無線装置及びそれに用いる簡易パス推定方法に関し、特にＣＤＭＡ（Ｃｏｄｅ　Ｄｉｖｉｓｉｏｎ　Ｍｕｌｔｉｐｌｅ　Ａｃｃｅｓｓ）無線装置に用いられるパス推定方法に関する。
【０００２】
【従来の技術】
従来、ＣＤＭＡ無線システムの受信動作においては、パス推定が用いられる。ＣＤＭＡ無線システムの伝送路のマルチパスによって生じるディレイプロファイルの特性を図６（ａ）に示す。ディレイプロファイルは、図６（ａ）に示すように、電力または電力のルート等の大きさ情報とパスタイミングを検出するためのタイミング情報とからなっている。この伝送路では、パス（１）、パス（２）、パス（３）の３つのパスが発生しており、ノイズも多くあるが、中でも大きなノイズ（１），（２）が存在している。
【０００３】
上記のような伝送路において、Ａ／Ｄ（アナログ／ディジタル）サンプリング後に、従来方法によって、つまり図１２に示すコリレータ部８１で計算したディレイプロファイル１８２を図６（ｂ）に示す。図６（ｂ）においては○がＡ／Ｄサンプリングポイントである。
【０００４】
ここで、図１２において、信号１８１はＡ／Ｄ変換後のディジタル信号であり、この信号１８１を用いてコリレータ部８１で、セル情報によって指定された特定の拡散符号を用いて相関をとることで、ディレイプロファイル１８２を作成する。出力されたディレイプロファイル１８２を用いてパス選択部８２においてパスを選択する。パス選択方法はディレイプロファイル１８２から、パワーの大きい順に予め定められたパス数分のパスを選択する。また、最大パスからの差分が予め定めた値より大きい場合にはパスとしない等である。パス選択部８２はパスと判定した位置情報をパスタイミング信号１８３として拡散復調部（図示せず）に渡す。
【０００５】
パス選択部８２におけるパス選択方法は、ディレイプロファイル１８２から値の大きい順に３つのパスを選択する。この時、先に検出したパスの隣り合った２ポイントまでのポイントは大きな値でもパスとして検出しない。また、最大パスの大きさからの差分が予め定めた値より大きい場合にはパスとしない等の個々の条件を設ける。
【０００６】
パス選択部８２はパス（１）と、ノイズ（１）及びノイズ（２）とを３つのパスとして検出し、これらの位置情報をパスタイミング信号１８３として出力する。このようにして、従来の方法では、パス（１）と、ノイズ（１）及びノイズ（２）とを選択している。
【０００７】
また、従来の方法としては、パスサーチを行うための回路規模を縮小し、安定的なパスサーチを行うために、第１の周波数のサンプリング信号を用いてオーバサンプリングした信号に対して、第１の周波数のサンプリング信号より低い第２の周波数のサンプリング信号を用いて２つの異なるタイミングでリサンプリングを行い、これらのリサンプリング結果を加算し、その加算結果に対して第２の周波数のサンプリング信号の周期で逆拡散処理を施し、受信に適したパスを検出する方法がある（例えば、特許文献１参照）。
【０００８】
【特許文献１】
特開２００２−２６７６５号公報
【０００９】
【発明が解決しようとする課題】
上述した従来のＣＤＭＡ無線システムの受信動作では、パス推定が用いられているが、このパス推定においてノイズを誤ってパスと判断すると、パスとともにノイズを合成してしまうので、受信特性が劣化する。これは特許文献１に記載の方法でも同様である。また、特に移動体端末においては、低電力化が重要な課題である。
【００１０】
そこで、本発明の目的は上記の問題点を解消し、ハードウェア規模を小さくすることができ、低消費電力でかつより正確にパス推定を行うことができるＣＤＭＡ無線装置及びそれに用いる簡易パス推定方法を提供することにある。
【００１１】
【課題を解決するための手段】
本発明によるＣＤＭＡ無線装置は、ＣＤＭＡ（Ｃｏｄｅ　Ｄｉｖｉｓｉｏｎ　Ｍｕｌｔｉｐｌｅ　Ａｃｃｅｓｓ）方式にて信号の送受信を行うＣＤＭＡ無線装置であって、入力データのサンプリング量を削減する削減手段と、前記削減手段で前記サンプリング量が削減されたデータに対してパス選択を行う第一のパス選択手段と、前記第一のパス選択手段で前記パス選択の対象としたデータに対して前記削減手段で削減されたデータを補う手段と、前記削減されたデータが補われたデータと前記第一のパス選択手段の前記パス選択の結果とから前記パス選択を行ってパス推定結果として出力する第二のパス選択手段とを備えている。
【００１２】
本発明による簡易パス推定方法は、ＣＤＭＡ（Ｃｏｄｅ　Ｄｉｖｉｓｉｏｎ　Ｍｕｌｔｉｐｌｅ　Ａｃｃｅｓｓ）方式にて信号の送受信を行うＣＤＭＡ無線装置の簡易パス推定方法であって、入力データのサンプリング量を削減する第１のステップと、前記削減手段で前記サンプリング量が削減されたデータに対してパス選択を行う第２のステップと、前記第２のステップで前記パス選択の対象としたデータに対して前記第１のステップで削減されたデータを補う第３のステップと、前記削減されたデータが補われたデータと前記第２のステップによる前記パス選択の結果とから前記パス選択を行ってパス推定結果として出力する第４のステップとを備えている。
【００１３】
すなわち、本発明のＣＤＭＡ（Ｃｏｄｅ　Ｄｉｖｉｓｉｏｎ　Ｍｕｌｔｉｐｌｅ　Ａｃｃｅｓｓ）無線装置は、ダウンサンプリング部でデータを削減した後に第一のパス選択部分でパス選択を行い、さらにアップサンプリング部でアップサンプリングした後に第二のパス推定部でパス推定を行っている。
【００１４】
これによって、本発明のＣＤＭＡ無線装置では、パス推定方法を複数段階に分けることによって、ハードウェア規模を小さくし、より低動作、つまり低消費電力でかつより正確にパス推定を行うことが可能となる。
【００１５】
【発明の実施の形態】
次に、本発明の実施例について図面を参照して説明する。図１は本発明の一実施例によるＣＤＭＡ（Ｃｏｄｅ　Ｄｉｖｉｓｉｏｎ　Ｍｕｌｔｉｐｌｅ　Ａｃｃｅｓｓ）無線システムの構成を示すブロック図である。図１において、本発明の一実施例によるＣＤＭＡ無線システムではＣＤＭＡ無線基地局１とＣＤＭＡ無線移動局３とか伝送路２を介して相互に無線信号の送受信を行っている。
【００１６】
図２は図１のＣＤＭＡ無線基地局１の構成を示すブロック図である。図２において、ＣＤＭＡ無線基地局１は基地局ベースバンド変調部１１と、基地局拡散変調部１２と、基地局Ｄ／Ａ（ディジタル／アナログ）変換部１３と、基地局送信部１４と、基地局送信アンテナ１５と、基地局受信アンテナ１６と、基地局受信部１７と、基地局Ａ／Ｄ変換器１８と、基地局拡散復調部１９と、基地局セル検出部２０と、基地局パス検出部２１と、基地局ベースバンド復調部２２とから構成されている。
【００１７】
図３は図１のＣＤＭＡ無線移動局３の構成を示すブロック図である。図３において、ＣＤＭＡ無線移動局３は移動局受信アンテナ３１と、移動局受信部３２と、移動局Ａ／Ｄ変換器３３と、移動局拡散復調部３４と、移動局セル検出部３５と、移動局パス検出部３６と、ベースバンド復調部３７と、移動局復号部３８と、移動局音声復号部３９と、データ入出力部４０もしくはマイク４２と、スピーカ４１と、移動局音声符号化部４３と、移動局符号化部４４と、移動局ベースバンド変調部４５と、移動局拡散変調部４６と、移動局Ｄ／Ａ変換器４７と、移動局送信部４８と、移動局送信アンテナ４９とから構成されている。
【００１８】
以下、図１〜図３を参照して本発明の一実施例によるＣＤＭＡ無線システムの動作について説明する。
【００１９】
ＣＤＭＡ無線基地局１ではネットワーク（図示せず）を介して得られる下り信号１０１に対して基地局ベースバンド変調部１１においてＱＰＳＫ（Ｑｕａｄｒａｔｕｒｅ　Ｐｈａｓｅ　Ｓｈｉｆｔ　Ｋｅｙｉｎｇ）等のベースバンド変調を行い、その出力であるベースバンド変調信号１０２に対して基地局拡散変調部１２で拡散変調を行う。
【００２０】
その出力であるディジタル信号の拡散変調信号１０３は基地局Ｄ／Ａ変換器１３でアナログ信号１０４に変換され、その信号に対して基地局送信部１４で下り搬送波周波数に変換する等の処理が行われ、基地局送信アンテナ１５から電波１０５として送信される。電波１０５は伝送路２を経由してマルチパス等の影響を受け、マルチパス下り電波１３１となる。
【００２１】
ＣＤＭＡ無線移動局３はマルチパス下り電波１３１を移動局受信アンテナ３１で受信し、移動局受信部３２で下り搬送波周波数からベースバンドに周波数変換し、その結果生じるアナログ信号１３３を移動局Ａ／Ｄ変換器３３でディジタル信号に変換し、そのディジタル信号１３４に対して移動局拡散復調部３４で逆拡散を行う。
【００２２】
この時、移動局セル検出部３５はディジタル信号１３４からセルを検出し、セル情報及びセルタイミング信号１３５を移動局パス検出部３６に知らせ、移動局パス検出部３６はそのセル情報及びセルタイミング情報１３５と、ディジタル信号１３４とから下りパスタイミングを検出し、下りパスタイミング信号１３６によって移動局拡散復調部３４に知らせる。
【００２３】
移動局拡散復調部３４での逆拡散後の信号１３７はベースバンド復調部３７でベースバンド復調され、復調された信号１３８を移動局復号部３８でビタビ等の復号を行い、復号信号１３９を移動局音声復号部３９で音声復号し、音声復号された信号１４０をスピーカ４１から音声として出力するか、もしくは復号信号１３９をデータ入出力部４０から出力し、パーソナルコンピュータ等のデータ通信に用いる。
【００２４】
さらに、マイク４２から入力された音声信号１４１を移動局音声符号化部４３で音声符号化し、音声符号化信号１４２をさらに移動局符号化部４４で符号化し、符号化された信号１４３に対して移動局ベースバンド変調部４５でＱＰＳＫ等の変調を行う。
【００２５】
移動局ベースバンド変調部４５で変調された信号１４４は移動局拡散変調部４６で拡散変調が行われ、拡散変調後のディジタル信号１４５を移動局Ｄ／Ａ変換器４７でアナログ信号１４６に変換し、移動局送信部４８で上り搬送波周波数に変換して移動局送信アンテナ４９から上り送信電波１３２として送信する。上り送信電波１３２は伝送路２を通ってマルチパス等の影響を受け、上りマルチパス電波１０６となる。
【００２６】
ＣＤＭＡ無線基地局１は上りマルチパス電波１０６を基地局受信アンテナ１６で受信すると、基地局受信部１７で上り搬送波周波数からベースバンドの周波数変換等を行い、その後のアナログ信号１０７を基地局Ａ／Ｄ変換器１８でディジタル信号１０８に変換した後、このディジタル信号１０８に対して基地局拡散復調部１９で逆拡散を行う。
【００２７】
その際、基地局セル検出部２０はディジタル信号１０８からセルタイミングを検出し、上りセル情報及び上りセルタイミング信号１０９を基地局パス検出部２１に知らせる。基地局パス検出部２１は上りセル情報及び上りセルタイミング信号１０９とディジタル信号１０８とから上りパスタイミングを検出し、上りパスタイミング信号１１０で基地局拡散復調部１９に知らせる。
【００２８】
基地局拡散復調部１９で逆拡散された信号１１１は基地局ベースバンド復調部２２で復調され、この復調された信号１２２がネットワークへと送信される。この時、移動局パス検出部３６もしくは基地局パス検出部２１の動作は、図４に示す回路構成で行われる。
【００２９】
図４は図２の基地局パス検出部２１及び移動局パス検出部３６の構成を示すブロック図であり、図５は図２の基地局パス検出部２１及び移動局パス検出部３６のパス検出処理を示すフローチャートである。図４において、基地局パス検出部２１及び移動局パス検出部３６はダウンサンプリング部５１と、コリレータ部５２と、第一パス選択部５３と、アップサンプリング部５４と、第二パス選択部５５とを含んで構成されている。尚、図５に示す処理は基地局及び移動局のコンピュータ（図示せず）がプログラムを実行することで実現可能である。
【００３０】
信号１５１はＡ／Ｄ変換後のディジタル信号であり、ダウンサンプリング部５１はＡ／Ｄのサンプリング周波数からサンプリング周波数を下げたデータ１５２を出力する（図５ステップＳ１）。コリレータ部５２ではサンプリング周波数を下げたデータ１５２に対して、セル情報から指定された特定の拡散符号を用いて相関計算を行うことによってディレイプロファイル１５３を作成する（図５ステップＳ２）。
【００３１】
第一パス選択部５３はコリレータ部５２から出力されたディレイプロファイル１５３においてパスを選択する。この場合、パス選択方法はディレイプロファイル１５３ｍｎから値の大きい順に予め定められたパス数分のパスを選択する（図５ステップＳ３）。この時、先に検出したパスの隣り合ったポイントはパスとして検出しない、また最大パスの大きさからの差分が予め定めた値より大きい場合にはパスとしない等の個々の条件を設ける（これらの条件は従来技術で説明した条件である）。
【００３２】
第一パス選択部５３でパスと判断した場所と、アップサンプルに必要な前後いくつかのディレイプロファイルデータと、位置情報とを信号１５４としてアップサンプリング部５４に送る。アップサンプリング部５４は前後いくつかのディレイプロファイルデータから、ダウンサンプリング部５１において失ったサンプリングタイムのディレイプロファイルデータを補う（図５ステップＳ４）。先の第一パス選択部５３でパスと判断した位置のディレイプロファイルデータと、補ったその前後のディレイプロファイルデータと、位置データとを信号１５５として第二パス選択部５５に渡す。
【００３３】
第二パス選択部５５は先に検出したパス位置の大きさと、アップサンプリングによって補われた前後のパス位置の大きさとを比較し、最大ポイントをパス位置候補とし、更新された最大パスの大きさから再び各パスの差分を求め、それが予め定めた値より大きい場合にはパスとしない判断を行い、最終的にパスと判定したいくつかの位置情報をパスタイミング信号１５６として基地局拡散復調部１９または移動局拡散復調部３４に渡す（図５ステップＳ５，Ｓ６）。
【００３４】
図６及び図７は本発明の一実施例における送信ダイバーシチの簡易型補償方法を説明するための図であり、図８は図２の基地局パス検出部２１及び移動局パス検出部３６の具体的な構成例を示すブロック図であり、図９は図２の基地局パス検出部２１及び移動局パス検出部３６の具体的なパス検出処理を示すフローチャートである。これら図１〜図３と図６〜図９とを参照して本発明の一実施例における送信ダイバーシチの簡易型補償方法について説明する。尚、図８に示す処理は基地局及び移動局のコンピュータ（図示せず）がプログラムを実行することで実現可能である。
【００３５】
伝送路のマルチパスによって生じるディレイプロファイルの特性を図６（ａ）に示す。図６（ａ）に示すように、ディレイプロファイルは電力または電力のルート等の大きさ情報と、パスタイミングを検出するためのタイミング情報とからなっている。この伝送路ではパス（１）、パス（２）、パス（３）の３つのパスが発生しており、ノイズも多くあるが中でも、大きなノイズ（１），（２）が存在している。
【００３６】
このような伝送路において、Ａ／Ｄサンプリング後に、図１２に示す従来の方法によって計算したディレイプロファイルを図６（ｂ）に示す。図６（ｂ）においては○がＡ／Ｄサンプリングポイントである。
【００３７】
従来のパス選択部８２におけるパス選択方法は、ディレイプロファイルから値の大きい順に３つのパスを選択する。この時、先に検出したパスの隣り合った２ポイントまでのポイントは大きな値でもパスとして検出しない、また最大パスの大きさからの差分が予め定めた値より大きい場合にはパスとしない等の個々の条件を設ける。これによって、従来のパス選択部８２ではパス（１）と、ノイズ（１）及びノイズ（２）とを３つのパスとして検出し、これらの位置情報をパスタイミング信号として出力する。
【００３８】
図８において、基地局パス検出部２１及び移動局パス検出部３６は間引き部６１と、コリレータ部６２と、第一パス選択部６３と、インタポレーションフィルタ６４と、第二パス選択部６５とを含んで構成されている。
【００３９】
間引き部６１ではＡ／Ｄ変換後の信号１６１を１／２にサンプリングを間引き（図９ステップＳ１１）、この間引いた後の信号１６２をコリレータ部６２で逆拡散する（図９ステップＳ１２）。この逆拡散によって生じるディレイプロファイル１６３は、図６（ｃ）に示すように、図６（ｂ）に示すディレイプロファイルと比べてサンプリングポイントが１／２になる。
【００４０】
第一パス選択部６３におけるパス選択方法はディレイプロファイル１６３から値の大きい順に３つのパスを選択する（図９ステップＳ１３）。この時、先に検出したパスの隣り合ったポイントは大きな値でもパスとして検出しない、また最大パスの大きさからの差分が予め定めた値より大きい場合にはパスとしない等の個々の条件を設ける。第一パス選択部６３はパス（１）及びパス（２）と、ノイズ（２）とを３つのパスとして検出する。
【００４１】
インタポレーションフィルタ６４は６ｔａｐのため、第一パス選択部６３ではパスと判断したポイントの位置情報と、その前後３ポイントずつのディレイプロファイルの大きさ情報とを信号１６４としてインタポレーションフィルタ６４に伝える。インタポレーションフィルタ６４は前後３ポイントの情報によって、先に第一パス選択部６３で検出したパス位置の前後のサンプルの大きさを算出し（図９ステップＳ１４）、第二パス選択部６５に信号１６５として与える。
【００４２】
その後、第二パス選択部６５は先に検出したパス位置の大きさと、インタポレーションフィルタ６４で算出されたパス位置の大きさとを比較し、最大ポイントをパス位置候補とし、更新された最大パスの大きさから再び各パスの差分を求め、それが予め定めた値より大きい場合にはパスとしない判断を行い、最終的にパスと判定したいくつかの位置情報をパスタイミング信号１６６として基地局拡散復調部１９または移動局拡散復調部３４に渡す（図９ステップＳ１５，Ｓ１６）。図７はこれらの動作をデータのタイミングで模式的に表している。
【００４３】
このように、従来の方法ではパス（１）と、ノイズ（１）及びノイズ（２）とを選択していたものが、本実施例ではパス（１）及びパス（２）とノイズ（２）とをパスとして選択することが可能となるので、その特性が改善される。
【００４４】
また、本実施例では、ダウンサンプリングによってサンプリング周波数の低くなった信号を逆拡散及びパス選択することによって、ダウンサンプリングしない場合よりも回路規模と消費電力との削減を図ることができる。
【００４５】
さらに、本実施例では、第一パス選択部６３、インタポレーションフィルタ６４、第二パス選択部６５それぞれの動作を以下のように変更すると、より正確なパス選択が可能となる。
【００４６】
第一パス選択部６３でパスと判断したポイントの位置情報と、その前後４ポイントずつのディレイプロファイルの大きさ情報とを信号１６４にてインタポレーションフィルタ６４に伝える。インタポレーションフィルタ６４は前後４ポイントの情報によって、先に第一パス選択部６３で検出したパス位置の前後２サンプルの大きさを算出し、第二パス選択部６５に与える。
【００４７】
その後、第二パス選択部６５は先に検出したパス位置の大きさと、インタポレーションフィルタ６４で算出されたパス位置の大きさとを比較し、最大ポイントをパス位置候補とし、さらにそのパス位置候補の前後のポイントの大きさ情報がパス位置候補の大きさに対して０．０５倍以上である場合に、更新された最大パスの大きさから再び各パスの差分を求め、それが予め定めた値より大きい場合にはパスとしない判断を行い、最終的にパスと判定したいくつかの位置情報をパスタイミング信号として基地局拡散復調部１９または移動局拡散復調部３４に渡す。
【００４８】
本実施例では、上述した動作によって、ノイズ（２）もパス候補から削除し、パス（１）、パス（２）のみをパスとして選択することによって、その特性が改善される。
【００４９】
このように、本実施例では、パス推定方法を複数段階に分けることによって、ハードウェア規模を小さくし、より低動作、つまり低消費電力でかつより正確にパス推定を行うことができる。
【００５０】
図１０は本発明の他の実施例による基地局セル検出部及び移動局セル検出部の構成例を示すブロック図であり、図１１は本発明の他の実施例による基地局セル検出部及び移動局セル検出部のセル検出処理を示すフローチャートである。本発明の他の実施例では、上述した本発明の一実施例によるパス推定方法をセル検出部に用いている。尚、本発明の他の実施例によるＣＤＭＡ無線システム、それを構成するＣＤＭＡ無線基地局及びＣＤＭＡ無線移動局は上記の図１〜図３に示す本発明の一実施例によるＣＤＭＡ無線システム、ＣＤＭＡ無線基地局１及びＣＤＭＡ無線移動局３の構成と同様の構成となっている。また、図１１に示す処理は基地局及び移動局のコンピュータ（図示せず）がプログラムを実行することで実現可能である。
【００５１】
図１０において、本発明の他の実施例による基地局セル検出部２０及び移動局セル検出部３５はダウンサンプリング部７１と、コリレータ部７２と、第一セル選択部７３と、アップサンプリング部７４と、第二セル選択部７５とを含んで構成されている。
【００５２】
基地局セル検出部２０もしくは移動局セル検出部３５では、複数の基地局からの受信信号を予め定められた拡散符号で逆拡散し、セル推定を行う処理において、パス検出と同様に、入力信号１７１をダウンサンプリング部７１でダウンサンプリングし（図１１ステップＳ２１）、ダウンサンプリングした信号１７２をコリレータ部７２で逆拡散する（図１１ステップＳ２２）。
【００５３】
コリレータ部７２による逆拡散で生成されたディレイプロファイル１７３に対しては第一セル選択部７３で第一のセル選択を行い（図１１ステップＳ２２）、その選択したセルのタイミング情報と、選択したポイントと、その前後数サンプルのディレイプロファイルの大きさ情報とを信号１７４としてアップサンプリング部７４に送る。
【００５４】
アップサンプリング部７４は先の情報からアップサンプリングして（図１１ステップＳ２３）、第一のセル選択部７３で選択したタイミングの前後数サンプリングの大きさを補い（図１１ステップＳ２４）、そのアップサンプリングした信号１７５を第二のセル選択部７５で再びセル選択を行い（図１１ステップＳ２５）、セルタイミング情報１７６を出力する（図１１ステップＳ２６）。
【００５５】
これによって、本実施例では、セル推定方法を複数段階に分けることによって、ハードウェア規模を小さくし、より低動作、つまり低消費電力でかつより正確にセル推定を行うことができる。
【００５６】
【発明の効果】
以上説明したように本発明は、ＣＤＭＡ方式にて信号の送受信を行うＣＤＭＡ無線装置において、入力データのサンプリング量を削減した後にそのデータに対してパス選択を行い、このパス選択の対象としたデータに対して上記の処理で削減されたデータを補った後にこの削減されたデータが補われたデータと上記のパス選択の結果とからパス選択を行ってパス推定結果として出力することによって、ハードウェア規模を小さくすることができ、低消費電力でかつより正確にパス推定を行うことができるという効果が得られる。
【図面の簡単な説明】
【図１】本発明の一実施例によるＣＤＭＡ無線システムの構成を示すブロック図である。
【図２】図１のＣＤＭＡ無線基地局の構成を示すブロック図である。
【図３】図１のＣＤＭＡ無線移動局の構成を示すブロック図である。
【図４】図２の基地局パス検出部及び移動局パス検出部の構成を示すブロック図である。
【図５】図２の基地局パス検出部及び移動局パス検出部のパス検出処理を示すフローチャートである。
【図６】本発明の一実施例における送信ダイバーシチの簡易型補償方法を説明するための図である。
【図７】本発明の一実施例における送信ダイバーシチの簡易型補償方法を説明するための図である。
【図８】図２の基地局パス検出部及び移動局パス検出部の具体的な構成例を示すブロック図である。
【図９】図２の基地局パス検出部及び移動局パス検出部の具体的なパス検出処理を示すフローチャートである。
【図１０】本発明の他の実施例による基地局セル検出部及び移動局セル検出部の構成例を示すブロック図である。
【図１１】本発明の他の実施例による基地局セル検出部及び移動局セル検出部のセル検出処理を示すフローチャートである。
【図１２】従来のパス検出部の構成例を示すブロック図である。
【符号の説明】
１　ＣＤＭＡ無線基地局
２　伝送路
３　ＣＤＭＡ無線移動局
１１　基地局ベースバンド変調部
１２　基地局拡散変調部
１３　基地局Ｄ／Ａ変換部
１４　基地局送信部
１５　基地局送信アンテナ
１６　基地局受信アンテナ
１７　基地局受信部
１８　基地局Ａ／Ｄ変換器
１９　基地局拡散復調部
２０　基地局セル検出部
２１　基地局パス検出部
２２　基地局ベースバンド復調部
３１　移動局受信アンテナ
３２　移動局受信部
３３　移動局Ａ／Ｄ変換器
３４　移動局拡散復調部
３５　移動局セル検出部
３６　移動局パス検出部
３７　ベースバンド復調部
３８　移動局復号部
３９　移動局音声復号部
４０　データ入出力部
４１　スピーカ
４２　マイク
４３　移動局音声符号化部
４４　移動局符号化部
４５　移動局ベースバンド変調部
４６　移動局拡散変調部
４７　移動局Ｄ／Ａ変換器
４８　移動局送信部
４９　移動局送信アンテナ
５１，７１　ダウンサンプリング部
５２，６２，７２　コリレータ部
５３，６３　第一パス選択部
５４，７４　アップサンプリング部
５５，６５　第二パス選択部
７３　第一セル選択部
７５　第二セル選択部
【図１】
2004080555.tif 000003
【図２】
2004080555.tif 000004
【図３】
2004080555.tif 000005
【図４】
2004080555.tif 000006
【図５】
2004080555.tif 000007
【図６】
2004080555.tif 000008
【図７】
2004080555.tif 000009
【図８】
2004080555.tif 000010
【図９】
2004080555.tif 000011
【図１０】
2004080555.tif 000012
【図１１】
2004080555.tif 000013
【図１２】
2004080555.tif 000014
【手続補正書】
【提出日】平成14年9月9日(2002.9.9)
【手続補正１】
【補正対象書類名】明細書
【補正対象項目名】００１６
【補正方法】変更
【補正の内容】
【００１６】
図２は図１のＣＤＭＡ無線基地局１の構成を示すブロック図である。図２において、ＣＤＭＡ無線基地局１は基地局ベースバンド変調部１１と、基地局拡散変調部１２と、基地局Ｄ／Ａ（ディジタル／アナログ）変換部１３と、基地局送信部１４と、基地局送信アンテナ１５と、基地局受信アンテナ１６と、基地局受信部１７と、基地局Ａ／Ｄ変換器１８と、基地局拡散復調部１９と、基地局パス検出部２１と、基地局ベースバンド復調部２２とから構成されている。


【手続補正２】
【補正対象書類名】明細書
【補正対象項目名】００２７
【補正方法】変更
【補正の内容】
【００２７】
基地局パス検出部２１はディジタル信号１０８から上りパスタイミングを検出し、上りパスタイミング信号１１０で基地局拡散復調部１９に知らせる。
【手続補正３】
【補正対象書類名】明細書
【補正対象項目名】００５０
【補正方法】変更
【補正の内容】
【００５０】
図１０は本発明の他の実施例による移動局セル検出部の構成例を示すブロック図であり、図１１は本発明の他の実施例による移動局セル検出部のセル検出処理を示すフローチャートである。本発明の他の実施例では、上述した本発明の一実施例によるパス推定方法をセル検出部に用いている。尚、本発明の他の実施例によるＣＤＭＡ無線システム、それを構成するＣＤＭＡ無線基地局及びＣＤＭＡ無線移動局は上記の図１〜図３に示す本発明の一実施例によるＣＤＭＡ無線システム、ＣＤＭＡ無線基地局１及びＣＤＭＡ無線移動局３の構成と同様の構成となっている。また、図１１に示す処理は基地局及び移動局のコンピュータ（図示せず）がプログラムを実行することで実現可能である。


【手続補正４】
【補正対象書類名】明細書
【補正対象項目名】００５１
【補正方法】変更
【補正の内容】
【００５１】
図１０において、本発明の他の実施例による移動局セル検出部３５はダウンサンプリング部７１と、コリレータ部７２と、第一セル選択部７３と、アップサンプリング部７４と、第二セル選択部７５とを含んで構成されている。


【手続補正５】
【補正対象書類名】明細書
【補正対象項目名】００５２
【補正方法】変更
【補正の内容】
【００５２】
移動局セル検出部３５では、複数の基地局からの受信信号を予め定められた拡散符号で逆拡散し、セル推定を行う処理において、パス検出と同様に、入力信号１７１をダウンサンプリング部７１でダウンサンプリングし（図１１ステップＳ２１）、ダウンサンプリングした信号１７２をコリレータ部７２で逆拡散する（図１１ステップＳ２２）。


【手続補正６】
【補正対象書類名】明細書
【補正対象項目名】図１０
【補正方法】変更
【補正の内容】
【図１０】本発明の他の実施例による移動局セル検出部の構成例を示すブロック図である。


【手続補正７】
【補正対象書類名】明細書
【補正対象項目名】図１１
【補正方法】変更
【補正の内容】
【図１１】本発明の他の実施例による移動局セル検出部のセル検出処理を示すフローチャートである。


【手続補正８】
【補正対象書類名】明細書
【補正対象項目名】符号の説明
【補正方法】変更
【補正の内容】
【符号の説明】
１　ＣＤＭＡ無線基地局
２　伝送路
３　ＣＤＭＡ無線移動局
１１　基地局ベースバンド変調部
１２　基地局拡散変調部
１３　基地局Ｄ／Ａ変換部
１４　基地局送信部
１５　基地局送信アンテナ
１６　基地局受信アンテナ
１７　基地局受信部
１８　基地局Ａ／Ｄ変換器
１９　基地局拡散復調部
２１　基地局パス検出部
２２　基地局ベースバンド復調部
３１　移動局受信アンテナ
３２　移動局受信部
３３　移動局Ａ／Ｄ変換器
３４　移動局拡散復調部
３５　移動局セル検出部
３６　移動局パス検出部
３７　ベースバンド復調部
３８　移動局復号部
３９　移動局音声復号部
４０　データ入出力部
４１　スピーカ
４２　マイク
４３　移動局音声符号化部
４４　移動局符号化部
４５　移動局ベースバンド変調部
４６　移動局拡散変調部
４７　移動局Ｄ／Ａ変換器
４８　移動局送信部
４９　移動局送信アンテナ
５１，７１　ダウンサンプリング部
５２，６２，７２　コリレータ部
５３，６３　第一パス選択部
５４，７４　アップサンプリング部
５５，６５　第二パス選択部
７３　第一セル選択部
７５　第二セル選択部


【手続補正９】
【補正対象書類名】図面
【補正対象項目名】図２
【補正方法】変更
【補正の内容】
【図２】
2004080555.tif 000015